(57)【要約】【課題】顧客が通信回線を通じてメーカーにキャビネットを発注する際に、孔加工位置をミスなく指定できるシステムを提供する。【解決手段】キャビネットデータベース４を備えたサーバ１と、ネットワーク３を介して接続された端末２とからなる。キャビネットデータベース１には、キャビネットの各面の形状と、各面の孔加工ができない禁止領域９とが登録されており、端末２には、孔加工の対象となるキャビネットをキャビネットデータベース４中から選択する対象選択手段１４と、表示手段１５とが搭載されている。さらに前記サーバ１と端末２の何れかに、選択したキャビネットの面上に加工しようとする孔形状を配置する位置指定手段１３と、配置された孔加工位置を禁止領域９と対比して適否を判定し、判定結果を前記表示手段に表示させる位置判定手段１６とを設けた。【選択図】図１
2014182427.tif 000002
【特許請求の範囲】
【請求項１】
キャビネットデータベースを備えたサーバと、このサーバとネットワークを介して接続された端末とからなり、
前記キャビネットデータベースには、多数のキャビネットの各面の形状と、各面の孔加工ができない禁止領域とが登録されており、
前記端末には、孔加工の対象となるキャビネットを前記キャビネットデータベース中から選択する対象選択手段と、表示手段とが搭載されており、
さらに前記サーバと前記端末の何れかに、
選択したキャビネットの面上に、加工しようとする孔形状を配置する位置指定手段と、
この位置指定手段により配置された孔加工位置を、前記キャビネットデータベースの禁止領域と対比して適否を判定し、判定結果を前記表示手段に表示させる位置判定手段と、
を設けたことを特徴とするキャビネットへの孔加工位置指定システム。
【請求項２】
前記キャビネットデータベースには、着脱可能な部品と重複する部品領域がさらに登録されており、
前記位置判定手段は、位置指定手段により配置された孔加工位置を、前記キャビネットデータベースの禁止領域及び部品領域とそれぞれ対比して、個別に適否を判定することを特徴とする請求項１に記載のキャビネットへの孔加工位置指定システム。
【請求項３】
前記位置判定手段は、孔加工位置が禁止領域に重なった場合には不可判定を行い、部品領域に重なった場合には警告判定を行うことを特徴とする請求項２に記載のキャビネットへの孔加工位置指定システム。
【請求項４】
前記位置判定手段は、孔加工位置が前記禁止領域から離れた位置に独立して配置された独立の禁止領域を囲む場合には警告判定を行うことを特徴とする請求項２に記載のキャビネットへの孔加工位置指定システム。
【発明の詳細な説明】
【技術分野】
【０００１】
本発明は、配電盤、制御盤などの電子電気機器収納用のキャビネットへの孔加工位置指定システムに関するものである。
【背景技術】
【０００２】
電子電気機器収納用のキャビネットについてはその用途、構造、サイズ等に応じて非常に多数のメーカー標準品が設定されている。そこで最近では顧客及び入力作業者が通信回線を通じてメーカー側のデータベースにアクセスし、最適な仕様のキャビネットを選択して発注できるシステムが開発されている。
【０００３】
またキャビネットには、操作スイッチ、計測機器、冷却装置などを取付けるための孔加工が必要な場合がある。これらの孔加工は顧客側の使用目的によって異なるため、顧客側がキャビネットのどの面にどのような孔加工を必要とするかを指定することとなる。
【０００４】
この場合の孔加工位置の指定ミスをなくするため、メーカー側のデータベースから読みだしたキャビネットの図面上に顧客が孔加工位置を指定し、指定された孔加工が可能であるか否かをメーカー側で判断できるようにした孔加工指定システムが開発され、特許文献１として公開されている。
【０００５】
この特許文献１のシステムにおいては、孔加工可能範囲及び孔加工不能範囲がキャビネットの図面上に表示され、顧客が孔加工位置を指定する際の参考となるようにしている。しかしこのシステムにおいては、顧客が指定ミスをすることを完全に防止することはできない。特にキャビネットの扉面や側面、背面などには顧客が指定するオプション部品が取り付けられることがあるが、オプション部品の取付け位置との関係について考慮しながら顧客が孔加工位置を指定することは必ずしも容易ではなく、指定ミスを招きやすかった。
【先行技術文献】
【特許文献】
【０００６】
【特許文献１】特開２００４−１７８３６０号公報
【発明の概要】
【発明が解決しようとする課題】
【０００７】
従って本発明の目的は上記した従来の問題点を解決し、孔加工位置をミスなく指定することができるキャビネットへの孔加工位置指定システムを提供することである。
【課題を解決するための手段】
【０００８】
上記の課題を解決するためになされた本発明のキャビネットへの孔加工位置指定システムは、キャビネットデータベースを備えたサーバと、このサーバとネットワークを介して接続された端末とからなり、前記キャビネットデータベースには、多数のキャビネットの各面の形状と、各面の孔加工ができない禁止領域とが登録されており、端末には、孔加工の対象となるキャビネットを前記キャビネットデータベース中から選択する対象選択手段と、表示手段とが搭載されており、さらに前記サーバと前記端末の何れかに、選択したキャビネットの面上に、加工しようとする孔形状を配置する位置指定手段と、この位置指定手段により配置された孔加工位置を、前記キャビネットデータベースの禁止領域と対比して適否を判定し、判定結果を前記表示手段に表示させる位置判定手段と、を設けたことを特徴とするものである。
【０００９】
なお請求項２のように、前記キャビネットデータベースには、着脱可能な部品と重複する部品領域がさらに登録されており、前記位置判定手段は、位置指定手段により配置された孔加工位置を、前記キャビネットデータベースの禁止領域及び部品領域とそれぞれ対比して、個別に適否を判定することが好ましい。また請求項３のように、前記位置判定手段は、孔加工位置が禁止領域に重なった場合には異常判定を行い、部品領域に重なった場合には警告判定を行うことが好ましく、さらに請求項４のように、前記位置判定手段は、孔加工位置が前記禁止領域から離れた位置に独立して配置された独立の禁止領域を囲む場合には警告判定を行うことが好ましい。
【発明の効果】
【００１０】
本発明のキャビネットへの孔加工位置指定システムによれば、孔加工の対象とキャビネットをキャビネットデータベース中から選択し、位置指定手段により孔加工位置を指定したとき、位置判定手段がキャビネットデータベースの禁止領域と対比して適否を判定し、判定結果を端末の表示手段に表示する。このため、孔加工位置の指定ミスを確実に防止することができる。
【００１１】
また請求項２以下の発明によれば、キャビネット表面上の固定された禁止領域のみならず、部品が取り付けられていて従来は孔加工の指定ができなかった部品領域についても、適否を判定し、判定結果を端末に表示することができる。しかも部品領域については警告判定を行い、孔加工位置に取り付けられているオプション部品と干渉することを警告して孔加工位置の指定を有効とする余地を残した。このため本発明によれば、キャビネットへの孔加工位置の指定を円滑に行うことが可能となる。
【図面の簡単な説明】
【００１２】
【図１】本発明のシステムの全体構成図である。
【図２】キャビネットデータベースの構成説明図である。
【図３】図面データの内容を示す説明図である。
【図４】部品領域、独立した禁止領域を示す説明図である。
【図５】孔パターンの説明図である。
【図６】本発明のキャビネットへの孔加工位置指定システムの動作フローである。
【発明を実施するための形態】
【００１３】
以下に本発明の実施形態を説明する。
図１は本発明のシステムの全体構成図であり、１はキャビネットメーカー側のサーバ、
２はこのサーバ１とネットワーク３を介して接続された顧客側の端末である。ネットワーク３はインターネット回線が代表的なものであるがこれに限定されるものではなく、例えばメーカーと顧客間の専用回線であってもよい。
【００１４】
サーバ１の記憶装置には、キャビネットデータベース４が収納されている。キャビネットデータベース４は図２に示したように、メーカーが標準品としている多数のキャビネットのそれぞれについて、商品コード５、寸法６、価格７、図面データ８などを登録したものである。図面データ８はキャビネットデータベース４に直接登録せず、別に設けた図面データファイルをキャビネットデータベース４にリンクさせておくことができる。図面データ８には、図３に示すようにキャビネットの扉面、左右の側面、背面、天面、基板の６面の形状が含まれている。端末２には孔加工の対象となるキャビネットをキャビネットデータベース４中から選択する対象選択手段１４及び表示手段１５が搭載されており、これらの図面データ８を表示させることができる。
【００１５】
キャビネットデータベース４の図面データ８には、キャビネットの各面の形状とともに、各面の孔加工ができない禁止領域９が登録されている。図３に示すように、各面の端部から一定幅の部分は、もしその部分に孔加工が行なわれると、キャビネットとしての強度やシール性を維持できなくなる部分であるから、絶対的な禁止領域９である。この禁止領域９は図面データ８に書き込んでおいてもよく、端部からの距離をその都度ロジックで計算するようにしてもよい。
【００１６】
また、扉面などにはスタッドボルト等が固着されているが、このような部分に孔加工をしようとしても、厚みがあるため孔加工用のレーザが通らず、孔加工が不可能である。従ってこれらの部分も絶対的な禁止領域９であるが、後述する独立の禁止領域１１として登録されている。このように、キャビネットデータベース４には各面の孔加工ができない禁止領域９及び独立の禁止領域１１が登録されている。
【００１７】
このほか、キャビネットデータベース４には、図４に示すように着脱可能な部品、すなわちオプション部品と重複する部品領域１０が登録されている。着脱可能な部品とは例えば扉面の裏面下方部に取付けられる図面ケースである。この部品領域１０は上記した絶対的な禁止領域９とは異なり、孔加工を施すことは可能であるが、図４のＢに示すようにその部分に孔加工すると部品の使用に影響が出る領域であって、オプション部品の取り外し及び移動を要する可能性が高い領域である。
【００１８】
さらに本実施形態においては、キャビネットデータベース４に禁止領域の特別な形態として独立の禁止領域１１が登録されている。前記した禁止領域９は各面の端部等に設定されて孔加工を禁止する領域であるのに対して、独立の禁止領域１１は図４のＤに示すように、禁止領域９から離れた位置に独立して配置された独立した禁止領域であり、例えば、スタッドボルト等のキャビネットに溶接等で固着される部品の位置である。この独立の禁止領域１１はその一部に重なるように孔加工を行えないことは禁止領域９と同じであるが、図４のＦに示すように孔加工が独立の禁止領域１１を完全に囲むように行われる場合には、孔加工を施すことができる領域である。この場合に、囲われた内部の部品が脱落してしまうため、後記する位置判定手段１６による警告がなされる。
【００１９】
サーバ１には孔パターンデータ１２が登録されている。これは図５に示すように、メーカー側が予め頻繁に使用される孔形状をパターン化して登録したものである。顧客はこの孔パターンデータ１２から希望する孔形状を選択して前記した各面の図面上にドラッグし、端末２の位置指定手段１３によって位置指定を行なうことができる。またサイズの変更はもちろん可能である。なお位置指定手段１３はサーバ１上に設けることもできる。
【００２０】
端末２またはサーバ１上には、位置判定手段１６が設けられている。この位置判定手段１６は、顧客が位置指定した孔加工位置の適否を判断する。この判断は、上記した禁止領域９、部品領域１０、独立の禁止領域１１等と、孔加工位置との座標に基づいて行われる。図４のＡに示すように、顧客が位置指定した孔加工位置がこれらの何れの領域にも干渉しなければ、正常判定を行う。しかし図４のＣ、Ｅに示すように、孔加工位置が禁止領域９または独立の禁止領域１１と重なった場合には、不可判定を行う。また図４のＢに示すように、顧客が位置指定した孔加工位置が部品領域１０と重なった場合、あるいは図のＦに示すように独立の禁止領域１１を囲む場合には警告判定を行い、当該領域にあるオプション部品が使用できなくなる可能性を認識させ、部品の取り外しや部品の取付位置あるいは孔加工位置の変更を促す。不可判定と警告判定とが重なった場合には不可判定が優先される。
【００２１】
位置判定手段１６による判定結果は、端末２の表示手段１５に表示される。正常判定の場合には、例えば孔加工位置を青色で表示する正常表示がなされる。このとき顧客が孔位置を確定する操作を行なうと、孔加工位置の色を例えば灰色に反転させるようにすることができる。また不可判定の場合には、指定した孔加工位置を赤色で表示する不可表示がなされる。また警告判定の場合には、その原因となったオプション部品を例えばオレンジ色で表示し、孔加工位置は青色で表示する警告表示がなされる。孔加工位置が独立の禁止領域１１を囲む場合にも同様である。
【００２２】
同一の加工面に複数の孔を指定する場合には、全ての警告表示を画面上に残すことが好ましい。また上記した着色による表示法は一例にすぎず、メッセージや音による表示も可能である。
【００２３】
このように構成された本発明のキャビネットへの孔加工位置指定システムの動作フローを図６に示す。
（Ｓ１）顧客はサーバ１にアクセスし、対象選択手段１４により孔加工の対象となるキャビネットをキャビネットデータベース４中から選択する。
（Ｓ２）サーバ１は端末２に商品コード５、寸法６、価格７、図面データ８などを送信し、表示手段１５が表示する。
（Ｓ３）顧客は孔パターンデータ１２中から必要とする孔形状を選択し、画面上にドラッグして孔位置を指定する。
（Ｓ４）位置判定手段１６が指定された孔加工位置の座標を読み取り、キャビネットデータベース４に登録されている禁止領域９、部品領域１０、独立の禁止領域１１と比較し、判断する。
（Ｓ５）判定結果は、端末の表示手段１５に表示される。
（Ｓ６）正常表示であれば、顧客は孔加工位置を確定して必要があれば次の孔位置を指定する。
（Ｓ７）不可表示であれば、顧客は孔加工位置を変更して指定する。
（Ｓ８）警告表示の場合には、顧客は孔加工位置に取り付けられているオプション部品が干渉するもしくは使用できなくなることを認識した上で孔加工位置を確定する。
【００２４】
以上に説明した通り、本発明のキャビネットへの孔加工位置指定システムによれば、顧客が通信回線を通じてメーカーにキャビネットを発注する際に、孔加工位置をミスなく指定することができる利点がある。
【符号の説明】
【００２５】
１  サーバ
２  端末
３  ネットワーク
４  キャビネットデータベース
５  商品コード
６  寸法
７  価格
８  図面データ
９  禁止領域
１０  部品領域
１１  独立の禁止領域
１２  孔パターンデータ
１３  位置指定手段
１４  対象選択手段
１５  表示手段
１６  位置判定手段
【図１】
2014182427.tif 000003
【図２】
2014182427.tif 000004
【図３】
2014182427.tif 000005
【図４】
2014182427.tif 000006
【図５】
2014182427.tif 000007
【図６】
2014182427.tif 000008